(57)【要約】【課題】着火時の圧力上昇による異常音の発生や脈動燃焼を極めて簡単な構成で、安価に防止することが出来る燃焼装置を提供する。【解決手段】石油ガス化バ−ナやガンタイプバ−ナ等の瞬間的に着火するバ−ナと、該バ−ナに燃焼空気を供給する燃焼ファンと、前記バ−ナの燃焼ガスは少なくとも強制的に屋外に排気されるものに於いて、前記バ−ナと燃焼ファンとを結ぶ送風経路４途中には、この送風経路４が狭まるオリフィス部１７の入口１８および出口２０を備え、前記オリフィス部１７に開口部２２を設け、この開口部２２に連通して共鳴箱２３を備え、前記開口部２２の面積をオリフィス部１７の入口１８および出口２０の面積よりも大きくした【選択図】図２
2006194529.tif 000002
【特許請求の範囲】
【請求項１】
石油ガス化バ−ナやガンタイプバ−ナ等の瞬間的に着火するバ−ナと、該バ−ナに燃焼空気を供給する燃焼ファンと、前記バ−ナの燃焼ガスは少なくとも強制的に屋外に排気されるものに於いて、前記バ−ナと燃焼ファンとを結ぶ送風経路途中には、この送風経路が狭まるオリフィス部を備え、このオリフィス部に開口部を設け、この開口部に連通して共鳴箱を備えた事を特徴とする燃焼装置。
【請求項２】
前記開口部の面積をオリフィス部の入口および出口の面積よりも大きくした事を特徴とする請求項１記載の燃焼装置。
【発明の詳細な説明】
【技術分野】
【０００１】
この発明は、ガスバ−ナや石油ガス化バ−ナ、ガンタイプバ−ナ等の瞬間的に着火するバ−ナを有した給湯機やＦＦ式温風暖房機に関するものである。
【背景技術】
【０００２】
従来よりこの種のものに於いては、例えば本件出願人が出願を行い特開２００３−２６２３３１号公報に開示されている如く、バ−ナと燃焼ファンとを結ぶ送風経路途中には、燃焼ファンに連通する入口と、バ−ナに連通する出口とを一直線上に配置しない空気室から成るエア−チャンバを備えることで、着火時にバ−ナで発生する瞬間的な圧力上昇を緩和し、この圧力上昇で生じる着火時の異常音や脈動燃焼を防止するものであった。（例えば、特許文献１参照）
【特許文献１】特開２００３−２６２３３１号公報
【発明の開示】
【発明が解決しようとする課題】
【０００３】
しかしながら、この従来のものでは、２０〜３０Ｈｚの低周波数の着火時の異常音や脈動燃焼による騒音を完全に防止することができないものであった。特に脈動燃焼が継続的に発生した場合には、騒音だけでなくバーナ内にススが発生したり、においを発生する原因となっていた。
【課題を解決するための手段】
【０００４】
この発明はこの点に着目し上記欠点を解決する為に、石油ガス化バ−ナやガンタイプバ−ナ等の瞬間的に着火するバ−ナと、該バ−ナに燃焼空気を供給する燃焼ファンと、前記バ−ナの燃焼ガスは少なくとも強制的に屋外に排気されるものに於いて、前記バ−ナと燃焼ファンとを結ぶ送風経路途中には、この送風経路が狭まるオリフィス部を備え、このオリフィス部に開口部を設け、この開口部に連通して共鳴箱を備えたものである。
【０００５】
また前記開口部の面積をオリフィス部の入口および出口の面積よりも大きくしたものである。
【発明の効果】
【０００６】
この発明によれば、バ−ナの着火時に生じる圧力の上昇分はオリフィス部によって空気の流れが絞られた後、開口部から共鳴箱に吸収されるので、次の燃焼空気の供給に支障をきたすことがなく、そのまま燃焼は継続されるものであり、送風経路途中にオリフィス部と共鳴箱を設けるだけの極めて簡単な構成で、着火時の異常音及び脈動燃焼を確実に防止することができ、特別な制御や部品が不用で安価で済みコストアップの心配もないものである。
また開口部の面積をオリフィス部の面積よりも大きくしたことで、よりいっそう着火時の異常音及び脈動燃焼を防止することができるものである。
【発明を実施するための最良の形態】
【０００７】
次に、本発明の一実施形態を図面に基づいて説明する。
【実施例１】
【０００８】
１は加熱ヒ−タ２を鋳込まれた石油ガス化式のバ−ナで、燃焼フアン３から送風経路４を介して供給される燃焼空気と、電磁ポンプ（図示せず）から圧送される噴霧ノズル５より噴霧される燃油とを予混合して、バ−ナヘッド部６で燃焼させるものであり、ガス化方式であるので点火器（図示せず）の点火で瞬間的に着火されるものである。
７はバ−ナ１を吊り下げるようにして支持したバ−ナ支持台である。
【０００９】
８は前記したバ−ナ１を下方に備えた燃焼筒で、上部には集熱部９を介して複数個のパイプから構成された熱交換器１０が備えられ、最上部に備えられたクロスフロ−ファンから成る温風ファン（図示せず）によって送風される室内空気と、燃焼ガスとを熱交換して温風として室内に供給して温風暖房を行うものである。
【００１０】
１１は熱交換器１０を流通し温度降下した燃焼ガスを排気する排気管で、二重筒構造で先端の給排気孔部１２を屋外に突出させた給排気筒１３の排気部１４に接続し、熱交換後の燃焼ガスを屋外に排気するものであり、給気部１５には燃焼ファン３と連通した給気管１６が接続して、屋外の空気を燃焼空気としてバ−ナ１に供給するようにしたものである。
【００１１】
１７はバ−ナ１と燃焼ファン３とを結ぶ送風経路４のほぼ中間位置に備えられたオリフィス部で、図２の様にＴ字型の鋳物管で形成され、前記燃焼ファン３からの送風の入口１８は送風ファン３と内径約２３ｍｍのゴム製の接続管１９で接続され、前記入口１８の内径は約１８ｍｍ（φｘ）と狭められている。
【００１２】
２０はバーナ１へ向かう送風の出口で、前記入口１８の内径と同じ約１８ｍｍ（φＹ）に形成されており、バーナ１と前記接続管１９と同じく内径約２３ｍｍのゴム製の接続管２１で接続されている。前記入口１８と出口２０の間には送風方向に直交する側面に約内径２４ｍｍ（φＲ）の開口部２２が形成され、この開口部２２を連通して内部の体積が１０８０立方センチメートル（Ｖ）の共鳴箱２３が形成されることで、着火時の脈動燃焼を防止すると共に２０〜３０Ｈｚの低周波の騒音を防止する事ができるものである。また前記開口部２２と共鳴箱２３の間の距離は約４０ｍｍの管２４で接続され、ヘルムホルツの原理を利用した共鳴装置を形成している。よって、ヘルムホルツの共鳴装置の性能を高めるために、φＸ、φＹに対するφＲの寸法を機種特有の騒音振動数に応じて設定調整する事で他機種の騒音対策に応用できるものである。
【００１３】
次にこの発明一実施例の作動について説明する。
今運転スイッチ（図示せず）が押圧されれば、加熱ヒ−タ２が通電されてバ−ナ１の予熱が開始され、そして燃油が気化可能温度に達することで、燃焼ファン３から燃焼空気が供給されると共に噴霧ノズル５から燃油が噴霧され、バ−ナ１内で予混合気となって適宜点火器で点火すれば、瞬間的に着火し、この時の圧力上昇分は集熱部９や熱交換器１０と言う抵抗が多い排気側には流れず、バ−ナ１を介して給気側に流れる。
【００１４】
この給気側に流れた圧力上昇分は、オリフィス部１７の出口２０から流入するが、出口２０の面積φＹが接続管２１の面積よりも小さく形成されることで、静圧が上昇するが開口部２２の面積φＲが入口１８、出口２０の面積φＸ、φＹより大きいので圧力は共鳴箱２３の方向に抜け、共鳴箱２３内で減衰されることで脈動燃焼を防止するものである。そしてバ−ナ１も着火から通常の燃焼へと継続されるものである。
【００１５】
次にこのバ−ナ１の燃焼で発生した燃焼ガスが、燃焼筒８、集熱部９、熱交換器１０と流通し、対流ファンからの送風と熱交換して温風とし、これで室内の暖房を行うものであり、熱交換して温度降下した燃焼ガスは給排気筒１３を介して屋外へ排気されるものである。
【００１６】
従って、オリフィス部１７と共鳴箱２３を備えたことで、極めて簡単な構成でありながら着火時の圧力上昇を確実に吸収して、異常音や脈動燃焼を防止することが出来、安価でコストアップの心配もないものである。
また開口部２２の面積をオリフィス部１７の面積よりも大きくしたことで、ヘルムホルツの原理により、よりいっそう着火時の異常音及び脈動燃焼を防止することができるものである。
またオリフィス部１７形状と共鳴箱２３の容積の組合せを調整する事で多種類の騒音の低減にも効果があるものである。
【００１７】
尚、この実施例では石油ガス化バ−ナを例にして説明したが、これに限らず例えばガンタイプ式のバ−ナでも同様な効果を得ることが出来るものである。
【図面の簡単な説明】
【００１８】
【図１】この発明の一実施例を付した燃焼装置の概略構成図。
【図２】同要部の概略構成図。
【符号の説明】
【００１９】
１  バーナ
３  送風ファン
１７  オリフィス部
１８  入口
２０  出口
２２  開口部
２３  共鳴箱
【図１】
2006194529.tif 000003
【図２】
2006194529.tif 000004